(57)【要約】【課題】機密資料などに含まれる機密情報の漏洩に対する安全性を高める。【解決手段】システム制御部１２３が認証順番に従って認証情報の入力を指示すると、認証管理部１１８が登録済みの複数の認証情報と、入力された複数の認証情報との照合によってユーザー認証を行う。また、システム制御部１２３が認証管理部１１８による認証結果をパネル部に表示させる。これにより、認証管理部１１８は、認証順番に従って入力される認証情報に基づいてユーザー認証を行うため、認証情報が漏洩した場合でも、なりすましによる機能の不正利用を防止できる。【選択図】図１
2017187967.tif 000002
【特許請求の範囲】
【請求項１】
パネル部と、
登録済みの複数の認証情報と、入力された複数の認証情報との照合により、ユーザー認証を行う認証管理部と、
認証順番に従って前記認証情報の入力を指示するシステム制御部とを備え、
前記システム制御部は、前記認証管理部による認証結果を前記パネル部に表示させる
ことを特徴とする電子機器。
【請求項２】
前記認証管理部は、機能の利用権限に応じた複数の前記認証情報がユーザーＩＤに紐付けられて登録されている認証管理テーブルを管理し、
前記システム制御部は、前記パネル部を介して入力された前記ユーザーＩＤに紐付けられている前記認証情報の入力を指示する
ことを特徴とする請求項１に記載の電子機器。
【請求項３】
前記認証情報は、機能の利用権限に応じて登録数が異なることを特徴とする請求項２に記載の電子機器。
【請求項４】
前記認証順番は、変更可能であることを特徴とする請求項１又は２に記載の電子機器。
【請求項５】
認証管理部により、登録済みの複数の認証情報と、入力された複数の認証情報との照合によってユーザー認証を行う工程と、
システム制御部により、認証順番に従って前記認証情報の入力を指示し、前記認証管理部による認証結果をパネル部に表示させる工程と、を電子機器を制御するコンピューターに実行させる
ことを特徴とする認証プログラム。
【請求項６】
前記認証管理部は、機能の利用権限に応じた複数の前記認証情報がユーザーＩＤに紐付けられて登録されている認証管理テーブルを管理し、
前記システム制御部は、前記パネル部を介して入力された前記ユーザーＩＤに紐付けられている前記認証情報の入力を指示する
ことを特徴とする請求項５に記載の認証プログラム。
【発明の詳細な説明】
【技術分野】
【０００１】
本発明は、ユーザー認証に適した電子機器及び認証プログラムに関する。
【背景技術】
【０００２】
たとえば、多機能プリンターや、複合機などのＭＦＰ（Ｍｕｌｔｉｆｕｎｃｔｉｏｎ  Ｐｅｒｉｐｈｅｒａｌ）である画像形成装置においては、印刷機能、コピー機能、ＦＡＸ機能、ネットワーク経由でのデータ送受信機能などが搭載されている。
【０００３】
このような画像形成装置では、機密資料などに含まれる機密情報の漏洩を防止するために、様々なセキュリティー対策が施されている。
【０００４】
その一つとして、特許文献１では、少なくとも二つの異なる認証方式を有し、何れかの認証方式を採用してユーザーの認証を行う認証部と、各認証方式に対応してそれぞれ互いに異なって設定され、ユーザーが複数の機能のいくつかを利用可能とすることを示す各制限情報が記憶されている制限情報記憶部と、何れかの認証方式によってユーザーが認証されると、制限情報記憶部を参照し、認証方式に対応する制限情報に基づいて、ユーザーが利用可能ないくつかの機能を判定する判定管理部と、判定された機能をユーザーに利用させるために、いくつかの機能に対応する選択肢を表示してユーザーに選択させる表示選択部と、選択された機能を実行する実行部とを備える、多機能画像形成装置を提案している。
【先行技術文献】
【特許文献】
【０００５】
【特許文献１】特開２０１２−１１５９９０号公報
【発明の概要】
【発明が解決しようとする課題】
【０００６】
上述した特許文献１での多機能画像形成装置では、たとえばパスワード認証及びＩＣカード認証のいずれかによる認証方式を採用しているため、ユーザーの利用権限に応じた認証方式を設定できる。
【０００７】
ところが、パスワードやＩＣカード情報が漏洩してしまうと、ユーザーになりすまして機能を利用することができ、機密資料などに含まれる機密情報の漏洩に対する安全性を保障できなくなる、という問題がある。
【０００８】
本発明は、このような状況に鑑みてなされたものであり、上記問題点を解消することができる電子機器及び認証プログラムを提供することを目的とする。
【課題を解決するための手段】
【０００９】
本発明の電子機器は、パネル部と、登録済みの複数の認証情報と、入力された複数の認証情報との照合により、ユーザー認証を行う認証管理部と、認証順番に従って前記認証情報の入力を指示するシステム制御部とを備え、前記システム制御部は、前記認証管理部による認証結果を前記パネル部に表示させることを特徴とする。
また、前記認証管理部は、機能の利用権限に応じた複数の前記認証情報がユーザーＩＤに紐付けられて登録されている認証管理テーブルを管理し、前記システム制御部は、前記パネル部を介して入力された前記ユーザーＩＤに紐付けられている前記認証情報の入力を指示することを特徴とする。
また、前記認証情報は、機能の利用権限に応じて登録数が異なることを特徴とする。
また、前記認証順番は、変更可能であることを特徴とする。
本発明の認証プログラムは、  認証管理部により、登録済みの複数の認証情報と、入力された複数の認証情報との照合によってユーザー認証を行う工程と、システム制御部により、認証順番に従って前記認証情報の入力を指示し、前記認証管理部による認証結果をパネル部に表示させる工程と、を電子機器を制御するコンピューターに実行させることを特徴とする。
また、前記認証管理部は、機能の利用権限に応じた複数の前記認証情報がユーザーＩＤに紐付けられて登録されている認証管理テーブルを管理し、前記システム制御部は、前記パネル部を介して入力された前記ユーザーＩＤに紐付けられている前記認証情報の入力を指示することを特徴とする。
本発明の電子機器及び認証プログラムでは、システム制御部が認証順番に従って認証情報の入力を指示すると、認証管理部が登録済みの複数の認証情報と、入力された複数の認証情報との照合によってユーザー認証を行う。また、システム制御部が認証管理部による認証結果をパネル部に表示させる。
これにより、認証管理部は、認証順番に従って入力される認証情報に基づいてユーザー認証を行うため、認証情報が漏洩した場合でも、なりすましによる機能の不正利用を防止できる。
【発明の効果】
【００１０】
本発明の電子機器によれば、なりすましによる機能の不正利用を防止できることから、機密資料などに含まれる機密情報の漏洩に対する安全性を高めることができる。
【図面の簡単な説明】
【００１１】
【図１】本発明の電子機器をＭＦＰに適用した場合の一実施形態を説明するための図である。
【図２】図１の認証管理部が管理する認証管理テーブルの一例について説明するための図である。
【図３】図１のＭＦＰでのログイン時における、パネル部に表示される内容を示すものであって、図３（ａ）はユーザーＩＤの入力を促す内容を示し、図３（ｂ）は１番目の認証情報の入力を促す内容を示し、図３（ｃ）は２番目の認証情報の入力を促す内容を示し、図３（ｄ）は３番目の認証情報の入力を促す内容を示し、図３（ｅ）は認証完了の内容を示し、図３（ｆ）は認証エラーの内容を示す図である。
【図４】図１のＭＦＰでの認証方法を説明するためのフローチャートである。
【発明を実施するための形態】
【００１２】
以下、本発明の電子機器の一実施形態を、図１〜図４を参照しながら説明する。なお、以下の説明においての電子機器の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１３】
まず、図１を参照し、ＭＦＰ１００の構成の一例について説明する。ＭＦＰ１００は、スキャナー部１０１、プリンター部１０２、ＦＡＸ部１０３、Ｉ／Ｆ（インターフェース）１０４、ＩＣカード読取部１０５、生態情報読取部１０６、パネル部１０７及びＨＤＤ１０８の動作を制御する制御部１１０を備えている。
【００１４】
スキャナー部１０１は、イメージセンサ（図示省略）によって読み取られる、図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、ネットワークを介し、他のＭＦＰやユーザー端末などとの通信を受け持つ。なお、Ｉ／Ｆ１０４は、図示しないコンテンツサーバーやウェブサーバーなどとの通信を受け持ってもよい。ＩＣカード読取部１０５は、ＩＣカード情報を読み取る。生態情報読取部１０６は、たとえば指紋を読み取る。なお、生態情報読取部１０６は、指紋に限らず、顔画像、静脈パターン又は音声などを読み取ってもよい。パネル部１０７は、ＭＦＰ１００の印刷機能、コピー機能、ＦＡＸ機能、ネットワーク経由でのデータ送受信機能や、各種設定のための表示を行うタッチパネルなどのデバイスである。また、パネル部１０７は、ログイン時の認証処理で必要となるユーザーＩＤに紐付けられた１又は２以上の認証情報の入力を促す内容を表示する。ＨＤＤ１０８は、ＭＦＰ１００の種々の機能を提供するためのアプリケーションプログラムなどを記憶している記憶デバイスである。また、ＨＤＤ１０８は、たとえばユーザー端末側から登録された印刷ジョブを記憶するユーザーボックスを有している。認証プログラムはアプリケーションプログラムの一つである。
【００１６】
制御部１１０は、アプリケーションプログラム、画像形成プログラム、及び制御プログラムなどを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＲＯＭ（Ｒｅａｄ−Ｏｎｌｙ  Ｍｅｍｏｒｙ）１１６、画像処理部１１７、認証管理部１１８、ＩＣカード読取制御部１１９、生態情報読取制御部１２０、パネル操作制御部１２１、ＨＤＤ制御部１２２、システム制御部１２３を備えている。また、これらは、データバス１２４に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータなどの送受信の制御を行う。
【００１８】
ＲＡＭ１１５は、プログラムを実行するためのワークメモリーである。また、ＲＡＭ１１５は、画像処理部１１７によって画像処理された印刷データを記憶する。ＲＯＭ１１６には、各部の動作チェックなどを行う制御プログラムが記憶されている。画像処理部１１７は、スキャナー部１０１によって読み取られた画像データに対する画像処理（ラスタライズ）を行う。また、画像処理部１１７は、ＨＤＤ１０８のユーザーボックスに登録された印刷ジョブに対する画像処理（ラスタライズ）を行う。なお、システム制御部１２３は、画像処理部１１７が画像処理した印刷データを、一旦、ＲＡＭ１１５に記憶させる。
【００１９】
認証管理部１１８は、予め登録された認証情報を管理する。認証情報は、ユーザーＩＤに紐付けられたものであり、パスワード、ＩＣカード情報、生態情報などを用いることができる。また、認証管理部１１８は、パネル部１０７、ＩＣカード読取部１０５、生態情報読取部１０６のいずれかを介して入力された認証情報と、登録されている認証情報とを照合し、ユーザー認証を行う。また、認証管理部１１８は、後述の図２に示す認証管理テーブル２００を管理する。
【００２０】
ＩＣカード読取制御部１１９は、ＩＣカード読取部１０５の読み取り動作を制御する。生態情報読取制御部１２０は、生態情報読取部１０６の読み取り動作を制御する。パネル操作制御部１２１は、パネル部１０７の表示動作を制御する。また、パネル操作制御部１２１は、パネル部１０７を介し、印刷、コピー、ＦＡＸ、ネットワーク経由でのデータ送受信などの開始、タンデム印刷の設定などを受け付ける。また、パネル操作制御部１２１は、パネル部１０７を介して入力される認証情報を受け付ける。ＨＤＤ制御部１２２は、ＨＤＤ１０８に対するデータの読み出し及び書き込みなどを制御する。
【００２１】
システム制御部１２３は、各部の連携動作などを制御する。また、システム制御部１２３は、ログイン時において、認証管理部１１８が管理する認証管理テーブル２００を参照し、後述の図３に示すように、認証情報の入力を促す内容をパネル操作制御部１２１を介してパネル部１０７に表示させる。
【００２２】
次に、図２を参照し、認証管理部１１８が管理する認証管理テーブル２００の一例について説明する。なお、図２に示す「−」の符号は、登録は任意であることを示す。また、図２に示す「△」の符号は、いずれか１つを登録することを示す。また、図２に示す「○」の符号は、登録が必須であることを示す。
【００２３】
認証管理テーブル２００には、項目２００ａ〜２００ｇが設けられている。項目２００ａはユーザーＩＤを示し、項目２００ｂは利用権限を示し、項目２００ｃはパスワードを示し、項目２００ｄはＩＣカード情報を示し、項目２００ｅは生態情報を示し、項目２００ｆは認証順番を示し、項目２００ｇは利用機能を示している。なお、項目２００ｂ〜２００ｇの利用権限、パスワード、ＩＣカード情報、生態情報、認証順番、利用機能は、項目２００ａのユーザーＩＤに紐付けられている。ユーザーＩＤは、ユーザー毎に割り当てられている。利用権限は、セキュリティーレベルを区別するものであり、たとえばゲスト、一般、管理者、メンテナンス作業者としている。なお、ゲストは、たとえばＭＦＰ１００が会社に設置されている場合、外部の人物に相当する。また、一般は、たとえば社員に相当する。また、管理者は、ＭＦＰ１００を管理する人物に相当する。また、メンテナンス作業者は、ＭＦＰ１００をメンテナンスする外部の人物に相当する。
【００２４】
パスワードは、ユーザー毎に割り当てられたものであってもよいし、ユーザーが任意に設定したものであってもよい。また、パスワードについては、メンテナンス作業者のみの登録が必須であり、ゲスト、一般及び管理者の登録は任意である。ＩＣカード情報２００ｄは、ユーザーが保持するＩＣカードの情報であり、社員カードやクレジットカードなどの情報を用いることができる。また、ＩＣカード情報については、メンテナンス作業者のみの登録が必須であり、ゲスト、一般及び管理者の登録は任意である。生態情報は、たとえば指紋である。なお、生態情報は、指紋に限らず、顔画像、静脈パターン又は音声などであってもよい。また、生態情報については、メンテナンス作業者及び管理者の登録が必須であり、ゲスト及び一般の登録は任意である。認証順番は、認証情報の認証の順番である。認証順番については、一般、管理者、メンテナンス作業者の登録が必須であり、ゲストの登録は任意である。つまり、認証順番の符号が「○」であれば、予め設定された認証順番に従って、認証情報を入力させ、ユーザー認証を行うことになる。なお、認証順番については、管理者が任意に変更することができる。ただし、管理者は、認証順番を変更した場合、メールなどによってゲスト、一般、メンテナンス作業者に通知する必要がある。
【００２５】
また、ゲスト及び一般については、パスワード、ＩＣカード情報、生態情報のいずれかを２以上登録させてもよい。以上のように、認証順番に従い、パスワード、ＩＣカード情報、生態情報の認証を実行することで、パスワードやＩＣカード情報が漏洩した場合でも、なりすましによる機能の不正利用を防止できる。
【００２６】
次に、図３を参照し、ログイン時における、パネル部１０７に表示される内容について説明する。なお、以下では、パスワード、ＩＣカード情報、生態情報の全ての認証情報の認証が必要となるメンテナンス作業者の場合で説明する。また、認証情報の認証順番は、たとえばパスワード、ＩＣカード情報、生態情報となっているものとする。
【００２７】
まず、システム制御部１２３は、ログイン時において、パネル部１０７に図３（ａ）に示すユーザーＩＤの入力を促す内容を表示させる。なお、パネル部１０７には、入力欄１０７ａが表示されるため、入力欄１０７ａにユーザーＩＤを入力する。システム制御部１２３は、認証管理部１１８によるユーザーＩＤの認証がＯＫであれば、パネル部１０７に図３（ｂ）に示す認証情報の入力を促す内容を表示させる。また、システム制御部１２３は、認証管理部１１８によるユーザーＩＤの認証がＮＧであれば、パネル部１０７に図３（ｆ）に示す認証エラーを示す内容を表示させる。なお、認証エラーとしては、たとえば「認証情報に誤りがあります」とした内容を表示させてもよいし、他の内容を表示させてもよい。
【００２８】
図３（ｂ）では、１番目の認証情報の入力を促す内容を示しているため、１番目の認証情報に該当するパスワードを、入力欄１０７ａに入力する。システム制御部１２３は、認証管理部１１８によるパスワードの認証がＯＫであれば、パネル部１０７に図３（ｃ）に示す認証情報の入力を促す内容を表示させる。また、システム制御部１２３は、認証管理部１１８によるパスワードの認証がＮＧであれば、パネル部１０７に図３（ｆ）に示す認証エラーを示す内容を表示させる。
【００２９】
図３（ｃ）では、２番目の認証情報の入力を促す内容を示しているため、２番目の認証情報に該当する認証情報を入力する。ここで、２番目の認証情報は、ＩＣカード情報であるため、ＩＣカード読取部１０５によってＩＣカード情報を読み取らせる。また、ＩＣカード情報はＩＣカード読取部１０５によって読み取られるため、図３（ｃ）に示す入力欄１０７ａへの入力は不要となる。言い換えれば、ＩＣカード情報の認証時における入力欄１０７ａはダミーとなる。さらに言えば、２番目の認証情報の内容を知らないと、２番目の認証情報に該当する認証情報を入力することができないことになる。システム制御部１２３は、認証管理部１１８によるＩＣカード情報の認証がＯＫであれば、パネル部１０７に図３（ｄ）に示す認証情報の入力を促す内容を表示させる。また、システム制御部１２３は、認証管理部１１８によるＩＣカード情報の認証がＮＧであれば、パネル部１０７に図３（ｆ）に示す認証エラーを示す内容を表示させる。
【００３０】
図３（ｄ）では、３番目の認証情報の入力を促す内容を示しているため、３番目の認証情報に該当する認証情報を入力する。ここで、３番目の認証情報は、生態情報であるため、生態情報読取部１０６によってたとえば指紋を読み取らせる。また、指紋は、生態情報読取部１０６によって読み取られるため、図３（ｄ）に示す入力欄１０７ａへの入力は不要となる。言い換えれば、指紋の認証時における入力欄１０７ａはダミーとなる。さらに言えば、上記同様に、３番目の認証情報の内容を知らないと、３番目の認証情報に該当する認証情報を入力することができないことになる。システム制御部１２３は、認証管理部１１８による指紋の認証がＯＫであれば、パネル部１０７に図３（ｅ）に示す認証完了の内容を表示させる。ここで、パスワード、ＩＣカード情報、生態情報の全ての認証情報の認証は、メンテナンス作業者に該当するため、認証完了としては、たとえば「フル機能の利用が可能です」とした内容を表示させる。
【００３１】
なお、システム制御部１２３は、図３（ｃ）、（ｄ）に示す入力欄１０７ａへの入力があれば、直ちに、図３（ｆ）に示す認証エラーを示す内容を表示させてもよい。また、システム制御部１２３は、図３（ａ）〜（ｄ）のそれぞれの認証情報の入力時において、認証ＮＧであれば図３（ｆ）の認証エラーの内容を表示させた場合としているが、これに限らず、図３（ｄ）の認証情報の入力時において、最終的に認証ＮＧであれば図３（ｆ）の認証エラーの内容を表示させてもよい。この場合、最終的に認証ＮＧとなるので、何番目の認証情報の入力に誤りがあるかどうかの判断ができないため、パスワードやＩＣカード情報が漏洩した場合でも、なりすましによる機能の不正利用の防止対策が有効となる。
【００３２】
また、管理者の場合では、認証に必要な情報は、生態情報と、パスワード又はＩＣカード情報のいずれかとなるため、図３（ｃ）で入力された２番目の認証情報の認証管理部１１８による認証がＯＫであれば、図３（ｄ）の表示を省き、図３（ｅ）に示す認証完了の内容を表示させる。この場合、認証完了としては、たとえば「管理機能の利用が可能です」とした内容を表示させる。
【００３３】
また、一般の場合での認証に必要な情報は、パスワード、ＩＣカード情報、生態情報のいずれか１つとなるため、図３（ｂ）で入力された１番目の認証情報の認証管理部１１８による認証がＯＫであれば、図３（ｃ）（ｄ）の表示を省き、図３（ｅ）に示す認証完了の内容を表示させる。この場合、認証完了としては、たとえば「一般機能の利用が可能です」とした内容を表示させる。
【００３４】
なお、ユーザーの場合での認証に必要な情報は、認証情報の登録が無ければ、ユーザーＩＤのみとなるため、図３（ａ）で入力されたユーザーＩＤの認証管理部１１８による認証がＯＫであれば、図３（ｂ）（ｃ）（ｄ）の表示を省き、図３（ｅ）に示す認証完了の内容を表示させる。この場合、認証完了としては、たとえば「少数機能の利用が可能です」とした内容を表示させる。
【００３５】
次に、図４を参照し、ＭＦＰ１００での認証方法について説明する。なお、以下では、たとえばパスワード、ＩＣカード情報、生態情報の全ての認証が必要となるメンテナンス作業者を例として説明する。また、認証順番は、たとえばパスワード、ＩＣカード情報、生態情報の順となっているものとする。
【００３６】
（ステップＳ１０１）
システム制御部１２３は、ユーザーＩＤが入力されたかどうかを判断する。
この場合、システム制御部１２３、パネル操作制御部１２１を介し、パネル部１０７に図３（ａ）に示した内容を表示させる。そして、システム制御部１２３は、パネル操作制御部１２１からのパネル部１０７を介してユーザーＩＤが入力されたことを示す通知が無ければユーザーＩＤが入力されていないと判断する（ステップＳ１０１：Ｎｏ）。
これに対し、システム制御部１２３は、パネル操作制御部１２１からのパネル部１０７を介してユーザーＩＤが入力されたことを示す通知が有ればユーザーＩＤが入力されたと判断し（ステップＳ１０１：Ｙｅｓ）、ステップＳ１０２に移行する。
【００３７】
（ステップＳ１０２）
システム制御部１２３は、認証できたかどうかを判断する。
この場合、システム制御部１２３は、認証管理部１１８からの通知が認証ＮＧであれば、認証できないと判断し（ステップＳ１０２：Ｎｏ）、ステップＳ１０３に移行する。
これに対し、システム制御部１２３は、認証管理部１１８からの通知が認証ＯＫであれば、認証できたと判断し（ステップＳ１０２：Ｙｅｓ）、ステップＳ１０４に移行する。
【００３８】
（ステップＳ１０３）
システム制御部１２３は、認証エラーを表示させる。
この場合、システム制御部１２３は、パネル操作制御部１２１を介し、パネル部１０７に図３（ｆ）に示した認証エラーを示す内容を表示させた後、ステップＳ１０１に移行する。
また、システム制御部１２３は、ステップＳ１０１において、再度、パネル部１０７に図３（ａ）に示した内容を表示させてユーザーＩＤを入力させる。なお、システム制御部１２３は、ステップＳ１０２での認証管理部１１８によるユーザーＩＤの認証ＮＧがたとえば３回であれば処理を終了させてもよい。
【００３９】
（ステップＳ１０４）
システム制御部１２３は、１番目の認証情報が入力されたかどうかを判断する。
この場合、システム制御部１２３は、パネル操作制御部１２１を介し、パネル部１０７に図３（ｂ）に示した内容を表示させる。そして、システム制御部１２３は、パネル操作制御部１２１からのパネル部１０７を介して１番目の認証情報であるパスワードが入力されたことを示す通知が無ければパスワードが入力されていないと判断する（ステップＳ１０４：Ｎｏ）。これに対し、システム制御部１２３は、パネル操作制御部１２１からのパネル部１０７を介して１番目の認証情報であるパスワードが入力されたことを示す通知が有ればパスワードが入力されたと判断し（ステップＳ１０４：Ｙｅｓ）、ステップＳ１０５に移行する。
【００４０】
（ステップＳ１０５）
システム制御部１２３は、認証できたかどうかを判断する。
この場合、システム制御部１２３は、認証管理部１１８からの通知が認証ＮＧであれば、認証できないと判断し（ステップＳ１０５：Ｎｏ）、ステップＳ１０６に移行する。
これに対し、システム制御部１２３は、認証管理部１１８からの通知が認証ＯＫであれば、認証できたと判断し（ステップＳ１０５：Ｙｅｓ）、ステップＳ１０７に移行する。
【００４１】
（ステップＳ１０６）
システム制御部１２３は、認証エラーを表示させる。
この場合、システム制御部１２３は、パネル操作制御部１２１を介し、パネル部１０７に図３（ｆ）に示した認証エラーを示す内容を表示させた後、ステップＳ１０４に移行する。
また、システム制御部１２３は、ステップＳ１０４において、再度、パネル部１０７に図３（ｂ）に示した内容を表示させて１番目の認証情報を入力させる。なお、システム制御部１２３は、ステップＳ１０５での認証管理部１１８による１番目の認証情報であるパスワードの認証ＮＧがたとえば３回であれば処理を終了させてもよい。
【００４２】
（ステップＳ１０７）
システム制御部１２３は、２番目の認証情報が入力されたかどうかを判断する。
この場合、システム制御部１２３は、パネル操作制御部１２１を介し、パネル部１０７に図３（ｃ）に示した内容を表示させる。ここで、２番目の認証情報は、ＩＣカード情報であるため、メンテナンス作業者がＩＣカード読取部１０５によってＩＣカード情報を読み取らせる。
そして、システム制御部１２３は、ＩＣカード読取制御部１１９からのＩＣカード情報を読み取ったことを示す通知が無ければＩＣカード情報が入力されていないと判断する（ステップＳ１０７：Ｎｏ）。これに対し、システム制御部１２３は、ＩＣカード読取制御部１１９からのＩＣカード情報を読み取ったことを示す通知が有ればＩＣカード情報が入力されたと判断し（ステップＳ１０７：Ｙｅｓ）、ステップＳ１０８に移行する。
【００４３】
（ステップＳ１０８）
システム制御部１２３は、認証できたかどうかを判断する。
この場合、システム制御部１２３は、認証管理部１１８からの通知が認証ＮＧであれば、認証できないと判断し（ステップＳ１０８：Ｎｏ）、ステップＳ１０９に移行する。
これに対し、システム制御部１２３は、認証管理部１１８からの通知が認証ＯＫであれば、認証できたと判断し（ステップＳ１０８：Ｙｅｓ）、ステップＳ１１０に移行する。
【００４４】
（ステップＳ１０９）
システム制御部１２３は、認証エラーを表示させる。
この場合、システム制御部１２３は、パネル操作制御部１２１を介し、パネル部１０７に図３（ｆ）に示した認証エラーを示す内容を表示させた後、ステップＳ１０７に移行する。
また、システム制御部１２３は、ステップＳ１０７において、再度、パネル部１０７に図３（ｃ）に示した内容を表示させて２番目の認証情報を入力させる。なお、システム制御部１２３は、ステップＳ１０８での認証管理部１１８による２番目の認証情報であるＩＣカード情報の認証ＮＧがたとえば３回であれば処理を終了させてもよい。
【００４５】
（ステップＳ１１０）
システム制御部１２３は、３番目の認証情報が入力されたかどうかを判断する。
この場合、システム制御部１２３は、パネル操作制御部１２１を介し、パネル部１０７に図３（ｄ）に示した内容を表示させる。ここで、３番目の認証情報は、生態情報であるため、メンテナンス作業者が生態情報読取部１０６によってたとえば指紋を読み取らせる。
そして、システム制御部１２３は、生態情報読取制御部１２０からの指紋を読み取ったことを示す通知が無ければ生態情報が入力されていないと判断する（ステップＳ１１０：Ｎｏ）。これに対し、システム制御部１２３は、生態情報読取制御部１２０からの指紋を読み取ったことを示す通知が有れば生態情報が入力された判断し（ステップＳ１１０：Ｙｅｓ）、ステップＳ１１１に移行する。
【００４６】
（ステップＳ１１１）
システム制御部１２３は、認証できたかどうかを判断する。
この場合、システム制御部１２３は、認証管理部１１８からの通知が認証ＮＧであれば、認証できないと判断し（ステップＳ１１１：Ｎｏ）、ステップＳ１１２に移行する。
これに対し、システム制御部１２３は、認証管理部１１８からの通知が認証ＯＫであれば、認証できたと判断し（ステップＳ１１１：Ｙｅｓ）、ステップＳ１１３に移行する。
【００４７】
（ステップＳ１１２）
システム制御部１２３は、認証エラーを表示させる。
この場合、システム制御部１２３は、パネル操作制御部１２１を介し、パネル部１０７に図３（ｆ）に示した認証エラーを示す内容を表示させた後、ステップＳ１１０に移行する。
また、システム制御部１２３は、ステップＳ１１０において、再度、パネル部１０７に図３（ｄ）に示した内容を表示させて３番目の認証情報を入力させる。なお、システム制御部１２３は、ステップＳ１１１での認証管理部１１８による３番目の認証情報である生態情報の認証ＮＧがたとえば３回であれば処理を終了させてもよい。
【００４８】
（ステップＳ１１３）
システム制御部１２３は、認証完了を表示させる。
この場合、システム制御部１２３は、パネル操作制御部１２１を介し、パネル部１０７に図３（ｅ）に示した認証完了を示す内容を表示させる。
【００４９】
なお、上述した説明では、ステップＳ１０２、Ｓ１０５、Ｓ１０８、Ｓ１１１でのそれぞれの認証において、認証ＮＧがたとえば３回であれば処理を終了させてもよいとしたが、ステップＳ１０２、Ｓ１０５、Ｓ１０８、Ｓ１１１での認証ＮＧの累計がたとえば３回であれば処理を終了させてもよい。また、この場合、パスワード、ＩＣカード情報、生態情報の認証順番の組み合わせは６通りであるため、認証ＮＧの累計が４回又は５回の場合に処理を終了させてもよい。
【００５０】
また、ステップＳ１０２、Ｓ１０５、Ｓ１０８、Ｓ１１１において、それぞれ認証判断する場合で説明したが、ステップＳ１０５、Ｓ１０８での認証判断を省き、ステップＳ１１１で最終的に認証判断を行ってもよい。この場合、何番目の認証情報の入力に誤りがあるかどうかの判断ができないため、パスワードやＩＣカード情報が漏洩した場合でも、なりすましによる機能の不正利用の防止対策が有効となる。
【００５１】
また、ステップＳ１０２、Ｓ１０５、Ｓ１０８、Ｓ１１１でのそれぞれの認証において、認証ＮＧがたとえば３回となった場合、あるいはステップＳ１０２、Ｓ１０５、Ｓ１０８、Ｓ１１１での認証ＮＧの累計がたとえば３回となった場合、認証エラーがあったことを管理者に通知してもよい。これにより、管理者は、なりすましによる機能の不正利用の監視を強化できる。
【００５２】
また、たとえば管理者を例とした場合、必要となる認証情報は生態情報とパスワード又はＩＣカード情報のいずれかとの２つとなる。この場合、認証順番の組み合わせは２通りとなるため、認証ＮＧが１回であれば処理を終了させてもよい。また、一般の場合に必要となる認証情報は、パスワード、ＩＣカード情報、生態情報のいずれか１つであるため、認証ＮＧが１回であれば処理を終了させてもよい。
【００５３】
このように、本実施形態では、システム制御部１２３が認証順番に従って認証情報の入力を指示すると、認証管理部１１８が登録済みの複数の認証情報と、入力された複数の認証情報との照合によってユーザー認証を行う。また、システム制御部１２３が認証管理部１１８による認証結果をパネル部に表示させる。これにより、認証管理部１１８は、認証順番に従って入力される認証情報に基づいてユーザー認証を行うため、認証情報が漏洩した場合でも、なりすましによる機能の不正利用を防止できることから、機密資料などに含まれる機密情報の漏洩に対する安全性を高めることができる。
【００５４】
また、本実施形態での認証情報は、機能の利用権限に応じて登録数が異なるため、機密資料などに含まれる機密情報の出力に関わる機能に対しては登録数を多くすることで、機密資料などに含まれる機密情報の漏洩に対する安全性をさらに高めることができる。
【００５５】
また、本実施形態での認証順番は変更可能であるため、認証順番を定期的に変更することで、認証順番の漏洩に対する安全性を高めることができる。
【符号の説明】
【００５６】
１００  ＭＦＰ
１０１  スキャナー部
１０２  プリンター部
１０３  ＦＡＸ部
１０４  Ｉ／Ｆ
１０５  ＩＣカード読取部
１０６  生態情報読取部
１０７  パネル部
１０７ａ  入力欄
１０８  ＨＤＤ
１１０  制御部
１１１  スキャナー制御部
１１２  プリンター制御部
１１３  ＦＡＸ制御部
１１４  通信制御部
１１５  ＲＡＭ
１１６  ＲＯＭ
１１７  画像処理部
１１８  認証管理部
１１９  ＩＣカード読取制御部
１２０  生態情報読取制御部
１２１  パネル操作制御部
１２２  ＨＤＤ制御部
１２３  システム制御部
１２４  データバス
２００  認証管理テーブル
２００ａ〜２００ｇ  項目
【図１】
2017187967.tif 000003
【図２】
2017187967.tif 000004
【図３】
2017187967.tif 000005
【図４】
2017187967.tif 000006